(57)【要約】【課題】  本発明は極めてデザイン性に優れ展示物を引き立たせ、且つフォトフレーム及び角度を消費者の目線に合わせることができる保持スタンドを提供する。【解決手段】  ミラー板と透明アクリル板との間に展示物を挟持して展示するフォトフレーム及び該フォトフレームを任意の角度に保持することのできるフォトフレーム保持スタンドであって、ボードに取り付けられた皿ボルト頭部をボード板と共にミラー板の裏面に貼り付け固着し、皿ボルトを透明アクリル板の四隅に開けられた面取り穴に差し込み、ナットで回し、固定するフォトフレームを提供し、且つフォトフレームを任意の角度に保持することにできるフォトフレーム保持スタンドであって、締め付けネジを回すことにより、スタンドと一体化されたネジ受け部を押しつつボスに固着する時に滑り止めＯリングを圧縮し、フォトフレーム受板とスタンド板との回転に一定の摩擦力が付与されることを特徴とするフォトフレーム保持スタンドを提供する。【選択図】図１
2019072449.tif 000002
【特許請求の範囲】
【請求項１】
ボードの四隅に開けられた面取り穴に皿ボルトを挿入し、これにより皿ボルトの頭部テーパ部分がボードの四隅に設けた面取り穴から抜けるのを確実に防ぎ、尚且つミラー板の裏面に接着固定し、且つ、ミラー板の表面にボルト頭が出るのを防ぎ、次にボード板の表面に展示物を重ね、さらにボードに固定された皿ボルトを透明板の四隅に設けられた穴に通し、ナットで締付け固定したことを特徴とするフォトフレーム。
【請求項２】
ボードに重ねた展示物をより引き立たせる為、装飾印刷又は、四角穴、楕円穴、などの加工をした飾り板を展示物に被せるなど、好みで展示物に変化を持たせることができるフォトフレーム。
【請求項３】
フォトフレームを任意の角度に保持して掲示することのできるフォトフレーム保持スタンドであって、締付けネジを回し締めつけることにより、スタンド板と一体化されたネジ受け部を押しつつフォトフレーム板と一体化されたボスに固着する際に滑り止めＯリングを圧縮し、フォトフレーム受板とスタンド板との回転に一定の摩擦力が付与され、フォトフレーム受け板とスタンド板を何度回転させても常に一定の摩擦力が付与されているように、回転位置を任意に保持するように構成されたことを特徴とするフォトフレーム保持スタンド。
【発明の詳細な説明】
【技術分野】
【０００１】  本発明はフォトフレームおよびフォトフレーム保持スタンドに関し、特に透明アクリル板とミラー板の間に展示物を挟持して掲示するフォトフレームを任意の角度に保持することができるフォトフレーム保持スタンドであって、ミラー板の裏面に４本の皿ボルトを挿入したボードに、接着剤を介してミラー板に固着された皿ボルトをボード、飾り板を透明アクリル板の四隅に設けられたボルト通し穴に挿通し、ナットを締め付け固定することにより展示物がずれることなく掲示することのできることを特徴とするフォトフレームである。
更にフォトフレームを任意の角度に保持できるフォトスタンドであって、締め付けネジを回すことにより、スタンドと一体化されたネジ受け部を押しつつボスに固着されるときに
2019072449.tif 000003
付与されて任意の角度に保持して展示できることを特徴とするフォトフレーム保持スタンドである。
【背景技術】
【０００２】  これまで多くのフォトフレームや額縁が考案され、主に表裏２枚のアクリル板に写真や絵はがきを挟持して展示するものが使用されており、その一例として特開２００８−１６８０４０号公報が公開されている。
【先行技術文献】
【特許文献】
【０００３】
【特許文献１】特開２００８−１６８０４０号公報
【発明の概要】
【発明が解決しようとする課題】
【０００４】  前記せる特開２００８−１６８０４０号公報では、表裏２枚のアクリル板の四隅に貫通孔を有し、これにボルトを挿通して２枚のアクリル板を固定し、その２枚のアクリル板の間に写真や絵はがき等を挟持させて展示するように構成されていた。【０００５】  しかしながら、前記せる公報では、前面及び背面のアクリル板の四隅の表面にボルト及びナットの頭が突出しており、背面にはこの突起が邪魔になりアクリル板に直接展示物を貼り付けることができなかった。またボルトの頭が非常に目立ちやすく目ざわりであり、挟持する写真や絵はがきを目立たせるためには不向きであった。【０００６】これに対して本発明は裏面のミラー板に突起物を無くすことにより好みの印刷物を貼り付けることができるフォトフレームを提供している。【０００７】  更に本発明の課題は、組立て容易であると共に分解も容易にできるフォトフレームを提供するものであって、好みにあわせて展示物を容易に交換できるものであり、且つ、フォトフレームを任意の傾斜角で保持して掲示することのできる保持スタンドを付設するものである。
【課題を解決するための手段】
【０００８】  本発明は透明アクリル板とミラー板の間に展示物を挟持して掲示するフォトフレームであって、ボードの四隅に取り付けられた皿ボルト平面頭と共にミラーに接着した皿ボルトを飾り板に開けられた四隅の穴に挿通し、透明板の四隅にも飾り板の穴と合致するよう開けられた穴に皿ボルトを挿入し、それぞれをナットで締め付け固定することによって展示物が挟持され固定されることを特徴としている。
【発明の効果】
【０００９】  本発明によれば、ミラー板とボードと共に接着された皿ボルトにより展示物をより引き立たせる効果のある装飾模様印刷又は展示物がより引き立つような形状の打ち抜き穴を施された装飾板を積層し、透明アクリル板を４本のナットで締め付け固定され、ミラー板にはナットなどの突起物が無く好みの印刷物が容易に貼ることができるなどデザイン的にも優れている。
【図面の簡単な説明】
【００１０】
【図１】フォトフレーム設置側面図である。
【図２】ヒンジ部を開放したフォトフレーム保持スタンドの平面図である。
【図３】図２の部分断面図である。
【図４】図３の部分拡大図である。
【図５】フォトフレームの部分断面図である。
【図６】フォトフレームの分解斜視図である。
【図７】フォトフレームのマスク板無しの斜視図である。
【図８】フォトフレームの飾り板を装着した状態の斜視図である。
【発明を実施するための形態】
【００１１】  以下、図面に基づいて、本発明を実施するための形態を具体的に説明する。
【００１２】  図１乃至５に示すように、本発明のフォトフレーム１０は、透明アクリル板１５とミラー板１１との間に、展示部１３を挟持して掲示するフォトフレーム１０であって、ミラー板１１に、ボード１２の四隅に設けられた面取り穴１７に皿ボルト１６を挿入、それをミミラー板１１の鏡面裏の接着面１９に接着固定し、次に展示物１３を重ね、飾り板１４の四隅に設けたボルト穴１５１に皿ボルト１６を挿入し、さらに透明アクリル板１５の四隅に設けられたボルト穴１５１に合わせて皿ボルト１６を挿入し、ナット１８を回転締め込み完成する。
【００１３】  図３はファトフレーム保持スタンド２０のヒンジ部の断面図であり、図３に示すように、締め付けネジ２２２をまわすことにより、スタンド板２２と一体化されたネジ受け部２２３を押しつつフォトフレーム受け板２１と一体化されたボス２２１に固着する時に滑り止めＯリング２２４を圧縮し、フォトフレーム受板２１とスタンド板２２との回転に一帝の摩擦力を付与される。
これによりフォトフレーム受け板２１とスタンド板２２を何度回転させても常に一定の摩擦力が付与されているので、可動位置を任意に保持することができる。
【００１４】  図４は図３の部分拡大図である。
この場合、締め付けネジ２２２とボス２２１は確実に締め付け固着されているが、ネジ受
2019072449.tif 000004
が付与されるように構成されている。
【００１５】図５はミラー板１１にボード１２、展示物１３、飾り板１４、透明アクリル板１５を皿ボルト１６にナット１８で締め付けた状態を示した部分断面図である。
【００１６】したがって、このような構造によれば、ミラー板と透明アクリル板とは完全に重ね合わさり、挟持した展示物も、ずれることはない。
【００１７】図６はフォトフレーム全体の組立図であり、特に展示物をより引き立たせる為の装飾模様印刷または展示物がより引き立たつような窓状の四角穴、楕円穴などを開けた飾り板を示したフォトフレームの分解斜視図である。
【産業上の利用可能性】
【００１８】以上説明したように、本発明のフォトフレームは展示物に合わせてマスク板のデザインを好みに合わせて変えることによりオリジナルテーのあるフォトフレームであり、且つフォトフレームを任意の角度に固定できるフォトフレーム保持スタンドである。
【符号の説明】
【００１９】  １０．フォトフレーム
１１．ミラー板
１２．ボード
１３．展示物
１４．飾り板
１５．透明アクリル板
１６．皿ボルト
１７．面取り穴
１８．ナット
１９．接着面
２０．フォトフレーム保持スタンド
２１．フォトフレーム受け板
２２．スタンド板
２３．ヒンジ部
２２１．ボス
２２２．締め付けネジ
２２３．ネジ受け部
2019072449.tif 000005
４１．ボルト平面部
４２．ネジ部
１５１．ボルト挿入穴
【図１】
2019072449.tif 000006
【図２】
2019072449.tif 000007
【図３】
2019072449.tif 000008
【図４】
2019072449.tif 000009
【図５】
2019072449.tif 000010
【図６】
2019072449.tif 000011
【図７】
2019072449.tif 000012
【図８】
2019072449.tif 000013